(57)【要約】【課題】ドアホン子器との通話に関する使い勝手を向上する。【解決手段】携帯電話事業者の携帯電話網を介して通話する携帯電話機能並びに携帯電話網を介さずに無線通信する無線通信機能を有する携帯電話端末３に対して、ドアホン子器２と携帯電話端末３の無線通信機能とをインタフェースする無線インタフェース装置１を備え、無線インタフェース装置１を介して携帯電話端末３とドアホン子器２との間で音声信号を授受する。故に、加入者電話回線に契約していなくても、携帯電話端末３を使ってドアホン子器２と通話ができるから使い勝手が向上し、しかも、携帯電話端末３によるドアホン子器２との通話においては携帯電話事業者の携帯電話網を介さずに通話できるから、通話に要するコストを大幅に低減することが可能である。【選択図】図１
2007312241.tif 000002
【特許請求の範囲】
【請求項１】
住戸の屋外に設置されるドアホン子器と、携帯電話事業者の携帯電話網を介して通話する携帯電話機能並びに前記携帯電話網を介さずに無線通信する無線通信機能を有する携帯電話端末に対して、ドアホン子器と携帯電話端末の無線通信機能とをインタフェースする無線インタフェース手段とを備え、無線インタフェース手段を介して携帯電話端末とドアホン子器との間で音声信号を授受することを特徴とするインターホンシステム。
【請求項２】
無線インタフェース手段をドアホン子器に内蔵したことを特徴とする請求項１記載のインターホンシステム。
【請求項３】
来訪者を撮像する撮像手段をドアホン子器に具備し、撮像手段で撮像された映像が無線インタフェース手段を介して携帯電話端末へ伝送されることを特徴とする請求項１又は２記載のインターホンシステム。
【発明の詳細な説明】
【技術分野】
【０００１】
本発明は、インターホンシステムに関するものである。
【背景技術】
【０００２】
従来より、住戸の屋外に設置されるドアホン子器と、住戸の屋内に設置されるとともに信号線を介してドアホン子器と接続されるインターホン親機とを備え、信号線を介して音声信号を授受することによりインターホン親機とドアホン子器との間でインターホン通話が可能なインターホンシステムが種々提供されている。ここで、インターホン親機だけでなく、加入者電話回線に接続された一般の電話機でもドアホン子器との通話を可能としたインターホンシステムが既に提供されている（特許文献１参照）。
【０００３】
また、現在では一般の電話機にもワイヤレス子機を備えたものが広く普及しており、インターホン親機を介したドアホン子器との通話と電話機を介した外線通話の双方が可能なワイヤレス子機を備えたインターホンシステムも提供されている。
【特許文献１】特開平５−３５７９号公報
【発明の開示】
【発明が解決しようとする課題】
【０００４】
ところで、近年では携帯電話の契約数が加入者電話回線の契約数を追い越し、加入者電話回線を契約せずに携帯電話で自宅からの外線通話を行う家庭が増加してきている。すなわち、加入者電話回線に契約していない家庭では、一般の電話機並びにワイヤレス子機を使ってドアホン子器と通話することができず、使い勝手が悪いものであった。
【０００５】
本発明は上記事情に鑑みて為されたものであり、その目的は、ドアホン子器との通話に関する使い勝手を向上したインターホンシステムを提供することにある。
【課題を解決するための手段】
【０００６】
請求項１の発明は、上記目的を達成するために、住戸の屋外に設置されるドアホン子器と、携帯電話事業者の携帯電話網を介して通話する携帯電話機能並びに前記携帯電話網を介さずに無線通信する無線通信機能を有する携帯電話端末に対して、ドアホン子器と携帯電話端末の無線通信機能とをインタフェースする無線インタフェース手段とを備え、無線インタフェース手段を介して携帯電話端末とドアホン子器との間で音声信号を授受することを特徴とする。
【０００７】
請求項２の発明は、請求項１の発明において、無線インタフェース手段をドアホン子器に内蔵したことを特徴とする。
【０００８】
請求項３の発明は、請求項１又は２の発明において、来訪者を撮像する撮像手段をドアホン子器に具備し、撮像手段で撮像された映像が無線インタフェース手段を介して携帯電話端末へ伝送されることを特徴とする。
【発明の効果】
【０００９】
請求項１の発明によれば、加入者電話回線に契約していなくても携帯電話端末を使ってドアホン子器と通話ができるとともに１台の端末を携帯電話による通話とドアホン子器との通話に共用できるから使い勝手が向上し、しかも、携帯電話端末によるドアホン子器との通話においては携帯電話事業者の携帯電話網を介さずに通話できるから、通話に要するコストを大幅に低減することが可能である。さらに、ドアホン子器との通話を携帯電話端末のみで行うことから従来のように住戸の屋内にインターホン親機を設置する必要がなくなってシステムコストと設置スペースの双方が削減できる。
【００１０】
請求項２の発明によれば、無線インタフェース手段の設置スペースが不要となる。
【００１１】
請求項３の発明によれば、携帯電話端末の表示デバイスにドアホン子器から受け取った映像を表示することができるから、来訪者の映像を視認して通話することができる。
【発明を実施するための最良の形態】
【００１２】
（実施形態１）
本実施形態は戸建て住宅向けのインターホンシステムに本発明の技術思想を適用したものであって、図１に示すように住戸の屋外（玄関）に設置されるドアホン子器２と、住戸の屋内に設置されるとともに信号線Ｌｓを介してドアホン子器２と接続され且つ携帯電話端末３と無線通信する無線インタフェース装置１とを備えている。
【００１３】
携帯電話端末３は、例えばＷ−ＣＤＭＡ(Wideband Code Division Multiple Access)方式の第３世代携帯電話端末であって、マイクロホン３０並びにスピーカ３１と、携帯電話事業者の基地局と無線通信するための第１無線部３２と、無線ＬＡＮに関する規格（例えば、IEEE 802.11諸規格）に準拠した無線通信を行うための第２無線部３３と、液晶表示器などの表示デバイスを有するモニタ部３４と、テンキー等の操作釦を具備して操作入力を受け付ける操作入力受付部３５と、ＣＰＵを主構成要素とし各部の制御を行う端末制御部３６とを具備し、第１無線部３２により携帯電話事業者の携帯電話網を介して通話する携帯電話機能、並びに第２無線部３３により携帯電話網を介さずに無線通信する無線通信機能（無線ＬＡＮ機能）を有している。但し、携帯電話端末３の携帯電話機能並びにIEEE 802.11諸規格に準拠した無線ＬＡＮ機能については従来周知であるから詳細な説明を省略する。
【００１４】
ドアホン子器２は、マイクロホン２０並びにスピーカ２１と、音声信号の２線４線変換処理や呼出釦（図示せず）の操作に伴う呼出信号の伝送処理を行う通話処理部２２と、来訪者を撮像する撮像部２３と、撮像部２３から出力する映像信号を変調して通話処理部２２から出力する音声信号と周波数分割多重するとともに信号線Ｌｓを介して無線インタフェース装置１から伝送されてくる音声信号を分離する多重分離処理部２４とを具備している。但し、かかるドアホン子器２の構成は従来周知であるから、詳細な説明は省略する。
【００１５】
無線インタフェース装置１は、信号線Ｌｓを介してドアホン子器２より周波数分割多重伝送される映像信号と音声信号を分離するとともにドアホン子器２に対して信号線Ｌｓを介して音声信号を伝送する多重分離処理部１０と、ＣＰＵを主構成要素とし各部の制御を行う制御部１１と、無線インタフェース装置１との間で無線通信を行う無線通信部１２とを具備している。なお、無線通信部１２は、携帯電話端末３の第２無線部３３と同様に無線ＬＡＮに関する規格（例えば、IEEE 802.11諸規格）に準拠した無線通信を行う。
【００１６】
また本実施形態は、携帯電話端末３と同様に無線インタフェース装置１との間で無線通信する機能を有した通話装置４を備えている。この通話装置４は、液晶表示器やＣＲＴなどの表示デバイスを有するモニタ部４０と、マイクロホン並びにスピーカ、マイクロホンの出力を増幅するマイクロホンアンプ、スピーカへの入力を増幅するスピーカアンプを有する音声入出力部４１と、応答釦（図示せず）等の操作釦を具備して操作入力を受け付ける操作入力受付部４２と、ＣＰＵを主構成要素とし各部の制御を行う制御部４３と、無線ＬＡＮに関する規格（例えば、IEEE 802.11諸規格）に準拠した無線通信を行うための無線通信部４４とを具備している。ここで、無線インタフェース装置１、携帯電話端末３、通話装置４には各々固有のＩＰアドレス（プライベートアドレス）が割り当てられ、ＩＰアドレスによって互いが認識可能となっている。但し、規格（例えば、IEEE 802.11諸規格）に準拠した無線通信の詳細については周知であるから説明を省略する。また、通話装置４の音声入出力部４１がエコーキャンセラ若しくは音声スイッチの少なくとも何れか一方を具備すれば、通話装置４で拡声通話（ハンズフリー通話）を行うことができる。
【００１７】
次に、図２のシーケンス図を参照しながら本発明の要旨であるドアホン子器２と携帯電話端末３との通話に関する動作を説明する。
【００１８】
呼出釦が押操作されてドアホン子器２から信号線Ｌｓを介して呼出信号が送信されると、無線インタフェース装置１の制御部１１が無線通信部１２より携帯電話端末３に対して呼出通知を行う。携帯電話端末３では、無線インタフェース装置１から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦（図示せず）を押操作すれば、端末制御部３６が第２無線部３３より無線インタフェース装置１に対して応答通知を行う。無線インタフェース装置１では、携帯電話端末３から送信された応答通知を無線通信部１２で受信すると、制御部１１がドアホン子器２との間に信号線Ｌｓを介した通話路を形成するとともに無線通信部１２より携帯電話端末３に対して通話許可通知を行う。携帯電話端末３では、無線インタフェース装置１から送信された通話許可通知を第２無線部３３で受信すると端末制御部３６がスピーカ３１から鳴動させていた呼出音を停止する。そして、ドアホン子器２から無線インタフェース装置１に伝送された映像と音声（送話音声）が制御部１１で各々映像データと音声データに変換されて無線通信部１２より携帯電話端末３へ送信され、携帯電話端末３においては、無線インタフェース装置１から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より無線インタフェース装置１へ送信され、無線インタフェース装置１においては、携帯電話端末３から送信された音声データを無線通信部１２で受信すると制御部１１が音声データをアナログの音声信号に変換して多重分離処理部１０よりドアホン子器２に送信し、ドアホン子器２のスピーカ２１から音声（受話音声）が鳴動されてドアホン子器２と携帯電話端末３との間で通話が可能となる。但し、無線インタフェース装置１を介した携帯電話端末３とドアホン子器２との間の通話並びに映像伝送は、携帯電話端末３で応答釦が押操作されてから所定時間が経過するか若しくは再度応答釦が押操作されたときに終了する。
【００１９】
また、通話装置４が設置されている場合、無線インタフェース装置１から送信された呼出通知を通話装置４の無線通信部４４で受信すると制御部４３が音声入出力部４１のスピーカから呼出音を鳴動させる。そして、呼出音を聞いた家人が通話装置４の操作入力受付部４２に設けられた応答釦（図示せず）を押操作すれば、制御部４３が無線通信部４４より無線インタフェース装置１に対して応答通知を行う。無線インタフェース装置１では、通話装置４から送信された応答通知を無線通信部１２で受信すると、制御部１１がドアホン子器２との間に信号線Ｌｓを介した通話路を形成するとともに無線通信部１２より通話装置４に対して通話許可通知を行う。通話装置４では、無線インタフェース装置１から送信された通話許可通知を無線通信部４４で受信すると制御部４３が音声入出力部４１のスピーカから鳴動させていた呼出音を停止する。そして、ドアホン子器２から無線インタフェース装置１に伝送された映像と音声（送話音声）が制御部１１で各々映像データと音声データに変換されて無線通信部１２より通話装置４へ送信され、通話装置４においては、無線インタフェース装置１から送信された映像データと音声データを無線通信部４４で受信すると制御部４３が映像データから元の映像を再構成してモニタ部４０に表示させるとともに音声データをアナログの音声信号に変換して音声入出力部４１のスピーカから音声（受話音声）を鳴動させる。また、音声入出力部４１のマイクロホンから入力した音声（送話音声）が制御部４３で音声データに変換されて無線通信部４４より無線インタフェース装置１へ送信され、無線インタフェース装置１においては、通話装置４から送信された音声データを無線通信部１２で受信すると制御部１１が音声データをアナログの音声信号に変換して多重分離処理部１０よりドアホン子器２に送信し、ドアホン子器２のスピーカ２１から音声（受話音声）が鳴動されてドアホン子器２と通話装置４との間で通話が可能となる。
【００２０】
上述のように本実施形態によれば、加入者電話回線に契約していなくても携帯電話端末３を使ってドアホン子器２と通話ができるから使い勝手が向上し、しかも、携帯電話端末３によるドアホン子器２との通話においては携帯電話事業者の携帯電話網を介さずに通話できるから、通話に要するコストを大幅に低減することが可能である。また、ドアホン子器２との通話を携帯電話端末３のみで行うことから従来のように住戸の屋内にインターホン親機を設置する必要がなくなってシステムコストと設置スペースの双方が削減できるという利点がある。さらに、音声だけでなくドアホン子器２の撮像部２３で撮像された映像も無線インタフェース装置１から携帯電話端末３に中継され、携帯電話端末３のモニタ部３４にドアホン子器２から受け取った映像を表示することができるから、携帯電話端末３を使って来訪者の映像を視認しながら通話することができる。さらに、通話装置４でも携帯電話端末３と同様にドアホン子器２と通話可能であり、携帯電話端末３と比較してモニタ部４０の画面サイズが大きいために映像が見やすく且つ拡声通話（ハンズフリー通話）ができるという利点がある。
【００２１】
（実施形態２）
本実施形態は、無線インタフェース手段をドアホン子器５に内蔵した点に特徴がある。すなわち、本実施形態のドアホン子器５は、図３に示すように来訪者を撮像する撮像部５０と、マイクロホン並びにスピーカ、マイクロホンの出力を増幅するマイクロホンアンプ、スピーカへの入力を増幅するスピーカアンプを有する音声入出力部５１と、呼出釦（図示せず）等の操作釦を具備して操作入力を受け付ける操作入力受付部５２と、ＣＰＵを主構成要素とし各部の制御を行う子器制御部５３と、無線ＬＡＮに関する規格（例えば、IEEE 802.11諸規格）に準拠した無線通信を行うための無線インタフェース手段たる無線通信部５４と、発光ダイオードなどの表示素子によりドアホン子器５の動作状態を表示する表示部５５とを備えている。
【００２２】
次に図４のシーケンス図を参照しながら本実施形態の動作を説明する。
【００２３】
呼出釦の押操作を操作入力受付部５２で受け付けると、子器制御部５３が無線通信部５４から呼出通知を送信させる。携帯電話端末３では、ドアホン子器５から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦（図示せず）を押操作すれば、端末制御部３６が第２無線部３３よりドアホン子器５に対して応答通知を行う。ドアホン子器５では、携帯電話端末３から送信された応答通知を無線通信部５４で受信すると、子器制御部５３が無線通信部５４より携帯電話端末３に対して通話許可通知を行う。携帯電話端末３では、ドアホン子器５から送信された通話許可通知を第２無線部３３で受信すると端末制御部３６がスピーカ３１から鳴動させていた呼出音を停止する。そして、ドアホン子器５では撮像部５０で撮像した映像と音声入出力部５１から入力する音声（送話音声）が子器制御部５３で各々映像データと音声データに変換されて無線通信部５４より携帯電話端末３へ送信され、携帯電話端末３においては、ドアホン子器５から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３よりドアホン子器５へ送信され、ドアホン子器５においては、携帯電話端末３から送信された音声データを無線通信部５４で受信すると子器制御部５３が音声データをアナログの音声信号に変換し音声入出力部５１のスピーカから音声（受話音声）が鳴動されてドアホン子器５と携帯電話端末３との間で通話が可能となる。
【００２４】
上述のように無線インタフェース手段をドアホン子器５に内蔵すれば、無線インタフェース装置１が不要となって省スペース化が図れる。
【図面の簡単な説明】
【００２５】
【図１】本発明の実施形態１を示すシステム構成図である。
【図２】同上においてドアホン子器と携帯電話端末の通話に関する動作を説明するためのシーケンス図である。
【図３】本発明の実施形態２におけるドアホン子器のブロック図である。
【図４】同上においてドアホン子器と携帯電話端末の通話に関する動作を説明するためのシーケンス図である。
【符号の説明】
【００２６】
１  無線インタフェース装置
２  ドアホン子器
３  携帯電話端末
１２  無線インタフェース（Ｉ／Ｆ）部
３２  第１無線部
３３  第２無線部
【図１】
2007312241.tif 000003
【図２】
2007312241.tif 000004
【図３】
2007312241.tif 000005
【図４】
2007312241.tif 000006